(57)【要約】【課題】発信ユーザの手間を省き、基地局または通信端末装置の少ない記憶容量で着信ユーザに対して発信ユーザに関する情報を音声で正確に報知する電話通信システムを提供する。【解決手段】基地局に０から９までの各数字を示す数字音声データを予め格納する記憶部を備え、発信者番号の各数字に該当する上記数字音声データを上記記憶部から検索し、上記発信者番号に対応する発信者番号音声データを着信通信端末装置へ送信するようにした。【選択図】          図２
2004242144.tif 000002
【特許請求の範囲】
【請求項１】
基地局と、この基地局と通信する通信端末装置とからなり、上記基地局は、ネットワークを介して発信通信端末装置の発信者番号を着信要求とともに受信する発信者番号受信部と、０から９までの各数字を示す数字音声データを予め格納する記憶部と、上記発信者番号受信部が受信した上記発信者番号の各数字に該当する上記数字音声データを上記記憶部から検索し、上記発信者番号に対応する発信者番号音声データを作成する発信者番号音声作成部と、この発信者番号音声作成部が作成した上記発信者番号音声データを着信制御信号とともに着信通信端末装置へ送信する音声データ送信部とを備え、上記着信通信端末装置は、上記発信通信端末装置の上記発信者番号音声データを上記着信制御信号とともに受信する音声データ受信部と、この音声データ受信部が受信した上記発信者番号音声データを音声に変換する音声処理部と、この音声処理部が変換した上記音声を再生する再生部とを備えたことを特徴とする電話通信システム。
【請求項２】
ネットワークを介して発信通信端末装置の発信者番号を着信要求とともに受信する発信者番号受信部、０から９までの各数字を示す数字音声データを予め格納する記憶部、上記発信者番号受信部が受信した上記発信者番号の各数字に該当する上記数字音声データを上記記憶部から検索し、上記発信者番号に対応する発信者番号音声データを作成する発信者番号音声作成部、及びこの発信者番号音声作成部が作成した上記発信者番号音声データを着信制御信号とともに着信通信端末装置へ送信する音声データ送信部を備えたことを特徴とする基地局。
【請求項３】
基地局と、この基地局と通信する通信端末装置とからなり、上記基地局は、ネットワークを介して発信通信端末装置の発信者番号を着信要求とともに受信する発信者番号受信部と、この発信者番号受信部が受信した上記発信者番号を着信制御信号とともに着信通信端末装置へ送信する発信者番号送信部とを備え、上記着信通信端末装置は、上記発信通信端末装置の発信者番号を着信制御信号とともに受信する発信者番号受信部、０から９までの各数字を示す数字音声データを予め格納する記憶部、上記発信者番号受信部が受信した上記発信者番号の各数字に該当する上記数字音声データを上記記憶部から検索し、上記発信者番号に対応する発信者番号音声データを作成する発信者番号音声作成部、及びこの発信者番号音声作成部が作成した上記発信者番号音声データを音声に変換する音声処理部と、この音声処理部が変換した上記音声を再生する再生部とを備えたことを特徴とする電話通信システム。
【請求項４】
基地局から発信通信端末装置の発信者番号を着信制御信号とともに受信する発信者番号受信部、０から９までの各数字を示す数字音声データを予め格納する記憶部、上記発信者番号受信部が受信した上記発信者番号の各数字に該当する上記数字音声データを上記記憶部から検索し、上記発信者番号に対応する発信者番号音声データを作成する発信者番号音声作成部、及びこの発信者番号音声作成部が作成した上記発信者番号音声データを音声に変換する音声処理部と、この音声処理部が変換した上記音声を再生する再生部とを備えたことを特徴とする通信端末装置。
【発明の詳細な説明】
【０００１】
【発明の属する技術分野】
この発明は、発信通信端末装置の発信者番号を着信通信端末装置のユーザに対して音声により報知する電話通信システム、基地局、及び通信端末装置に関する。
【０００２】
【従来の技術】
従来の音声呼出システムにおいては、発信端末装置からの音声情報が、発信局の音声変換手段により音声データに変換されて着信局に送信され、該着信局に送信された音声データが、着信局の音声データ送信手段によって着信端末装置に送信される。着信端末装置に送信された音声データは、音声データ検出手段により検出され、さらに、音声出力手段によって音声出力される。従って、従来の音声呼出システムは、発信者情報を音声データとして格納するデータベースを着信端末装置に設けることが不要になり、着信端末装置の構成が簡単になって製造コストが低減されると共に、全ての発信者からの発信を音声によって着呼呼出することを可能にしている（例えば、特許文献１参照）。
【０００３】
【特許文献１】
特開平７−３２７０８４号公報（第２−４頁、第１、３図）
【０００４】
【発明が解決しようとする課題】
従来の音声呼出システムでは、発信ユーザが着信ユーザのために名前等の発信ユーザ自身に関する音声情報を発信局へ入力する必要があり、発信ユーザに手間が発生するという問題点があった。また、発信ユーザが音声情報を入力するため、誤って正しい情報を入力できない場合があるという問題点があった。さらに、発信局が発信ユーザの入力した音声情報を記憶しておく場合には、発信局に膨大な記憶容量のデータベースが必要となるという問題点があった。
【０００５】
この発明は、上記のような課題を解決するためになされたもので、発信ユーザの手間を省き、基地局または通信端末装置の少ない記憶容量で着信ユーザに対して発信ユーザに関する情報を音声で正確に報知することができる電話通信システム、基地局、及び通信端末装置を提供することを目的とするものである。
【０００６】
【課題を解決するための手段】
この発明に係る電話通信システムは、基地局と、この基地局と通信する通信端末装置とからなり、上記基地局は、ネットワークを介して発信通信端末装置の発信者番号を着信要求とともに受信する発信者番号受信部と、０から９までの各数字を示す数字音声データを予め格納する記憶部と、上記発信者番号受信部が受信した上記発信者番号の各数字に該当する上記数字音声データを上記記憶部から検索し、上記発信者番号に対応する発信者番号音声データを作成する発信者番号音声作成部と、この発信者番号音声作成部が作成した上記発信者番号音声データを着信制御信号とともに着信通信端末装置へ送信する音声データ送信部とを備え、上記着信通信端末装置は、上記発信通信端末装置の上記発信者番号音声データを上記着信制御信号とともに受信する音声データ受信部と、この音声データ受信部が受信した上記発信者番号音声データを音声に変換する音声処理部と、この音声処理部が変換した上記音声を再生する再生部とを備えたものである。
【０００７】
この発明に係る基地局は、ネットワークを介して発信通信端末装置の発信者番号を着信要求とともに受信する発信者番号受信部、０から９までの各数字を示す数字音声データを予め格納する記憶部、上記発信者番号受信部が受信した上記発信者番号の各数字に該当する上記数字音声データを上記記憶部から検索し、上記発信者番号に対応する発信者番号音声データを作成する発信者番号音声作成部、及びこの発信者番号音声作成部が作成した上記発信者番号音声データを着信制御信号とともに着信通信端末装置へ送信する音声データ送信部を備えたものである。
【０００８】
この発明に係る電話通信システムは、基地局と、この基地局と通信する通信端末装置とからなり、上記基地局は、ネットワークを介して発信通信端末装置の発信者番号を着信要求とともに受信する発信者番号受信部と、この発信者番号受信部が受信した上記発信者番号を着信制御信号とともに着信通信端末装置へ送信する発信者番号送信部とを備え、上記着信通信端末装置は、上記発信通信端末装置の発信者番号を着信制御信号とともに受信する発信者番号受信部、０から９までの各数字を示す数字音声データを予め格納する記憶部、上記発信者番号受信部が受信した上記発信者番号の各数字に該当する上記数字音声データを上記記憶部から検索し、上記発信者番号に対応する発信者番号音声データを作成する発信者番号音声作成部、及びこの発信者番号音声作成部が作成した上記発信者番号音声データを音声に変換する音声処理部と、この音声処理部が変換した上記音声を再生する再生部とを備えたものである。
【０００９】
この発明に係る通信端末装置は、基地局から発信通信端末装置の発信者番号を着信制御信号とともに受信する発信者番号受信部、０から９までの各数字を示す数字音声データを予め格納する記憶部、上記発信者番号受信部が受信した上記発信者番号の各数字に該当する上記数字音声データを上記記憶部から検索し、上記発信者番号に対応する発信者番号音声データを作成する発信者番号音声作成部、及びこの発信者番号音声作成部が作成した上記発信者番号音声データを音声に変換する音声処理部と、この音声処理部が変換した上記音声を再生する再生部とを備えたものである。
【００１０】
【発明の実施の形態】
実施の形態１．
以下、実施の形態１について説明する。
図１は、携帯電話システムの構成を示す概略図である。図において、サービスエリアとしての１つの制御ゾーン１には複数の無線基地局２が分散配置されており、移動局３は制御ゾーン１内または隣接する制御ゾーン１間を移動しつつ、無線基地局２と着信制御信号４及び受信完了通知信号５等の送受信信号を送受する。
【００１１】
図２は、実施の形態１に係り、この発明における基地局としての無線基地局２を示すブロック図である。図において、無線基地局２には、全体の制御動作を司る基地局制御部７が設けられており、該基地局制御部７には、各種情報を格納する主記憶部８と、この実施の形態１では音声データ送信部として使われ、無線回線を介して移動局３と通信する送受信部９と、この実施の形態１では発信者番号受信部として使われ、後述する移動システム用交換局６と交換動作を行う通信制御部１０とが接続されている。通信制御部１０は、無線基地局２を管理制御する移動システム用交換局６と信号を送受信し、この送受信した信号を変復調する変復調部１１に接続される。送受信部９は、アンテナ１２を介して送受信した信号を変復調する変復調部１１に接続される。発信者番号音声作成部としての発信者情報付加制御部１３は、発信ユーザの発信者番号を入手すると、記憶部としての発信者情報付加用データベース１４にアクセスして発信者番号情報に対応する音声データを検索し、一時記憶部１５に格納する。
【００１２】
図３は、実施の形態１に係り、この発明における通信端末装置としての移動局３を示すブロック図である。図において、移動局３にはアンテナ１６が設けられ、アンテナ１６は無線回線を介して無線基地局２との間で無線信号の送受信を行う。送信部１７及び音声データ受信部としての受信部１８に接続された周波数シンセサイザ部１９は送信部１７及び受信部１８に所望する周波数の発振信号を出力し、アンテナ１６を介して送受信した無線信号を送受信処理させる。送信部１７及び受信部１８には主制御部２０が接続される。主制御部２０は主に各部の機能動作を制御する回路であり、後述する各部が接続されている。レシーバ２１は移動局３の受話部として機能し、マイク２２は移動局３の送話部として機能する。マンマシン・インターフェース部２３は、ＬＣＤ（Ｌｉｑｕｉｄ  Ｃｒｙｓｔａｌ  Ｄｉｓｐｌａｙ）２４を制御して、着信情報等を表示させる。キー入力部２５は、複数のキーボタンを有し、ユーザのキー操作による入力を認識し、主制御部２０に伝達する。音声処理部２６は、受信した音声データを着信音等を鳴動する再生部としてのスピーカ２７に入力し、音声出力させる。内蔵メモリ２８は、メモリ制御部２９に制御され、電話帳等を記憶する。
【００１３】
図４は、無線基地局２に設けられる発信者情報付加用データベース１４の構成を示す図であり、０から９までの数字と各数字を示す音声データとを対応付けて記憶している。
【００１４】
図５は、無線基地局２から移動局３に送信される着信制御信号４を示す図であり、種別識別部、発信者番号情報、及び音声データで構成されている。
【００１５】
次に、図に基づいて発信通信端末装置の発信者情報を、着信時に、移動局３のユーザに対して音声で報知する動作について説明する。なお、この場合の無線基地局２の処理フローを図６に、移動局３の処理フローを図７に示している。
【００１６】
まず、発信通信端末装置が移動局３への発信を開始すると、移動システム用交換局６へ発信要求が送信され、発信要求を受信した移動システム用交換局６は無線基地局２へ着信要求信号を送信する。
【００１７】
無線基地局２は、移動システム用交換局６から着信要求信号を受信するとＳＴ（ステップ）６−１、通信制御部１０を介して基地局制御部７へ着信要求信号を受け渡す。基地局制御部７は、着信要求信号に発信者電話番号情報が含まれているか否かを判断するＳＴ６−２。
【００１８】
この判断で、発信者電話番号情報がなければ、基地局制御部７は図５の種別識別部を含んだ着信制御信号４を、送受信部９及びアンテナ１２を介して移動局３へ送信する。つまり、移動局３へ送信される着信制御信号４に発信者番号情報及び音声データは含まれない。
【００１９】
ＳＴ６−２で、発信者電話番号情報があると判断されると、基地局制御部７は発信者情報付加制御部１３に発信者電話番号情報を受け渡し、発信者情報付加処理を開始する。
【００２０】
発信者情報付加制御部１３は、発信者電話番号の総桁数をＮとしＳＴ６−３、桁数Ｎが０より大きいか否かを判断するＳＴ６−４。
【００２１】
この判断で、桁数Ｎが０より大きければ、発信者情報付加制御部１３は、電話番号のＮ桁目に該当する数字を検出し、検出した数字に対応する音声データを発信者情報付加用データベース１４から検索するＳＴ６−５。発信者情報付加制御部１３は、検索した音声データを一時記憶部１５に格納し、桁数Ｎを１減らしＳＴ６−６、ＳＴ６−４に戻って処理を繰り返す。
【００２２】
ＳＴ６−４で、桁数Ｎが０と一致すれば、発信者情報付加制御部１３が一時記憶部１５に格納した電話番号の各桁の数字に対応する音声データを読み出し、基地局制御部７に受け渡すとＳＴ６−７、基地局制御部７は図５の種別識別部、発信者番号情報、及び音声データを含んだ着信制御信号４を、送受信部９及びアンテナ１２を介して移動局３へ送信する。
【００２３】
移動局３は、アンテナ１６を介して無線基地局２から着信制御信号４を受信するとＳＴ７−１、受信部１８を介して主制御部２０へ着信制御信号４を受け渡す。主制御部２０は、着信制御信号４の種別識別部から移動局識別番号を検出し、自己への着信要求であるか否かを判断するＳＴ７−２。
【００２４】
この判断で、自己への着信要求でなければ、ＳＴ７−１に戻り、自己への着信を待ち受ける。
【００２５】
ＳＴ７−２で、自己への着信要求であれば、主制御部２０は送信部１７及びアンテナ１６を介して、受信完了通知信号５を無線基地局２へ送信することで、着信に応答する。そして、主制御部２０は、スピーカ２７に着信音を鳴動させＳＴ７−３、内蔵メモリ２８が記憶している発信者番号の音声再生機能の設定をメモリ制御部２９に検出させ、発信者番号の音声再生機能が有効か無効かを判断するＳＴ７−４。
この実施の形態においては、着信時に相手の電話番号を音声で再生する機能を有効にするか無効にするかを、移動局３のユーザが事前に内蔵メモリ２８に登録しておけるものとする。
【００２６】
この判断で、主制御部２０により発信者番号の音声再生機能が無効であると判断されれば、処理が終了する。
【００２７】
ＳＴ７−４で、発信者番号の音声再生機能が有効であると判断されれば、主制御部２０は着信制御信号４に音声データが含まれているか否かを判断するＳＴ７−５。
【００２８】
この判断で、主制御部２０により音声データがないと判断されると、処理が終了する。
【００２９】
ＳＴ７−５で、音声データがあると判断されると、主制御部２０は着信制御信号４に付加された音声データを音声処理部２６に受け渡し、音声処理部２６は受け取った音声データを音声に変換し、鳴動中の着信音を一定時間経過後に停止して、スピーカ２７から再生させてＳＴ７−６、処理を終了する。
【００３０】
このように、着信時に発信者情報を音声で再生することができ、目に障害のあるユーザであっても、誰からの着信であるかを着信に応答する前に容易に認識することができる。
【００３１】
実施の形態２．
以下、実施の形態２について説明する。
図８は、実施の形態２に係る無線基地局２を示すブロック図である。送受信部９は、この実施の形態２では発信者番号送信部として使われる。
【００３２】
図９は、実施の形態２に係る移動局３を示すブロック図である。図において、受信部１８は、この実施の形態２では発信者番号受信部として使われる。発信者番号音声作成部としての発信者情報制御部３０は、発信ユーザの発信者番号を入手すると、記憶部としての発信者番号データベース３１にアクセスして発信者番号情報に対応する音声データを検索し、一時記憶部３２に格納する。発信者番号データベース３１には、発信者情報付加用データベース１４と同様に、図４に示す構成で、０から９までの数字と各数字を示す音声データとを対応付けて記憶している。
【００３３】
図１０は、無線基地局２から移動局３に送信される、実施の形態２に係る着信制御信号４を示す図であり、種別識別部及び発信者番号情報で構成されている。
【００３４】
次に、図に基づいて発信通信端末装置の発信者情報を、着信時に、移動局３のユーザに対して音声で報知する動作について説明する。なお、この場合の移動局３の処理フローを図１１に示している。
【００３５】
まず、発信通信端末装置が移動局３への発信を開始し、移動システム用交換局６から無線基地局２へ着信要求信号を送信するまでの処理は、実施の形態１と同様である。
【００３６】
無線基地局２は、移動システム用交換局６から着信要求信号を受信すると、通信制御部１０を介して基地局制御部７へ着信要求信号を受け渡す。基地局制御部７は受け渡された着信要求信号に発信者番号が含まれていれば、発信者番号情報を含んだ着信制御信号４を、送受信部９及びアンテナ１２を介して移動局３へ送信する。
【００３７】
移動局３は、アンテナ１６を介して無線基地局２から着信制御信号４を受信するとＳＴ１１−１、受信部１８を介して主制御部２０へ着信制御信号４を受け渡す。主制御部２０は、着信制御信号４の種別識別部から移動局識別番号を検出し、自己への着信要求であるか否かを判断するＳＴ１１−２。
【００３８】
この判断で、自己への着信要求でなければ、ＳＴ１１−１に戻り、自己への着信を待ち受ける。
【００３９】
ＳＴ１１−２で、自己への着信要求であれば、主制御部２０は送信部１７及びアンテナ１６を介して、受信完了通知信号５を無線基地局２へ送信することで、着信に応答する。そして、主制御部２０は、スピーカ２７に着信音を鳴動させＳＴ１１−３、内蔵メモリ２８が記憶している発信者番号の音声再生機能の設定をメモリ制御部２９に検出させ、発信者番号の音声再生機能が有効か無効かを判断するＳＴ１１−４。
【００４０】
この判断で、主制御部２０により発信者番号の音声再生機能が無効であると判断されれば、処理が終了する。
【００４１】
ＳＴ１１−４で、発信者番号の音声再生機能が有効であると判断されれば、主制御部２０は着信制御信号４に発信者電話番号情報が含まれているか否かを判断するＳＴ１１−５。
【００４２】
この判断で、主制御部２０により発信者電話番号情報がないと判断されると、処理が終了する。
【００４３】
ＳＴ１１−５で、発信者電話番号情報があると判断されると、主制御部２０は発信者情報制御部３０に発信者電話番号情報を受け渡し、発信者情報処理を開始する。
【００４４】
発信者情報制御部３０は、発信者電話番号の総桁数をＮとしＳＴ１１−６、桁数Ｎが０より大きいか否かを判断するＳＴ１１−７。
【００４５】
この判断で、桁数Ｎが０より大きければ、発信者情報制御部３０は、電話番号のＮ桁目に該当する数字を検出し、検出した数字に対応する音声データを発信者番号データベース３１から検索するＳＴ１１−８。発信者情報制御部３０は、検索した音声データを一時記憶部３２に格納し、桁数Ｎを１減らしＳＴ１１−９、ＳＴ１１−７に戻って処理を繰り返す。
【００４６】
ＳＴ１１−７で、桁数Ｎが０と一致すれば、発信者情報制御部３０が一時記憶部１５に格納した電話番号の各桁の数字に対応する音声データを読み出し、主制御部２０に受け渡すと、主制御部２０は一時記憶部３２から読み出された音声データを音声処理部２６に受け渡し、音声処理部２６は受け取った音声データを音声に変換し、鳴動中の着信音を一定時間経過後に停止して、スピーカ２７から再生させてＳＴ１１−１０、処理を終了する。
【００４７】
なお、実施の形態１及び実施の形態２において、音声を自動的に再生せずに、着信ユーザが着信音の鳴動を聞き、着信があることを認識した上で、キー入力部２５を操作することで、音声を再生するようにしてもよい。さらに、全桁数ではなく、発信者を認識できる一部の桁数、例えば、下４桁のみを再生するようにしてもよい。
【００４８】
また、実施の形態１及び実施の形態２における電話通信システムは、無線通信に限らず有線通信に適用してもよい。
【００４９】
【発明の効果】
この発明の電話通信システムは、ネットワークを介して発信通信端末装置の発信者番号を着信要求とともに受信する発信者番号受信部と、０から９までの各数字を示す数字音声データを予め格納する記憶部と、上記発信者番号受信部が受信した上記発信者番号の各数字に該当する上記数字音声データを上記記憶部から検索し、上記発信者番号に対応する発信者番号音声データを作成する発信者番号音声作成部と、この発信者番号音声作成部が作成した上記発信者番号音声データを着信制御信号とともに着信通信端末装置へ送信する音声データ送信部とを備えた基地局と、この基地局と通信し、上記発信通信端末装置の上記発信者番号音声データを上記着信制御信号とともに受信する音声データ受信部と、この音声データ受信部が受信した上記発信者番号音声データを音声に変換する音声処理部と、この音声処理部が変換した上記音声を再生する再生部とを備えた着信通信端末装置とからなるので、発信ユーザが着信ユーザのために名前等の発信ユーザ自身の音声情報を発信局へ入力する必要がなく、また、基地局の少ない記憶容量で、着信ユーザに対して音声で発信ユーザを正確に報知することができる効果がある。
【００５０】
また、この発明の電話通信システムは、ネットワークを介して発信通信端末装置の発信者番号を着信要求とともに受信する発信者番号受信部と、この発信者番号受信部が受信した上記発信者番号を着信制御信号とともに着信通信端末装置へ送信する発信者番号送信部とを備えた基地局と、この基地局と通信し、上記発信通信端末装置の発信者番号を着信制御信号とともに受信する発信者番号受信部、０から９までの各数字を示す数字音声データを予め格納する記憶部、上記発信者番号受信部が受信した上記発信者番号の各数字に該当する上記数字音声データを上記記憶部から検索し、上記発信者番号に対応する発信者番号音声データを作成する発信者番号音声作成部、及びこの発信者番号音声作成部が作成した上記発信者番号音声データを音声に変換する音声処理部と、この音声処理部が変換した上記音声を再生する再生部とを備えた着信通信端末装置とからなるので、発信ユーザが着信ユーザのために名前等の発信ユーザ自身の音声情報を発信局へ入力する必要がなく、また、通信端末装置の少ない記憶容量で、着信ユーザに対して音声で発信ユーザを正確に報知することができる効果がある。
【図面の簡単な説明】
【図１】携帯電話システムの構成を示す概略図である。
【図２】実施の形態１に係る無線基地局２を示すブロック図である。
【図３】実施の形態１に係る移動局３を示すブロック図である。
【図４】実施の形態１に係る発信者情報付加用データベース１４の構成を示す図である。
【図５】実施の形態１に係る無線基地局２から移動局３に送信される着信制御信号を示す図である。
【図６】実施の形態１に係る無線基地局２の処理フローを示すフローチャートである。
【図７】実施の形態１に係る移動局３の処理フローを示すフローチャートである。
【図８】実施の形態２に係る無線基地局２を示すブロック図である。
【図９】実施の形態２に係る移動局３を示すブロック図である。
【図１０】実施の形態２に係る無線基地局２から移動局３に送信される着信制御信号を示す図である。
【図１１】実施の形態２に係る移動局３の処理フローを示すフローチャートである。
【符号の説明】
２  無線基地局
３  移動局
７  基地局制御部
９  送受信部
１０  通信制御部
１３  発信者情報付加制御部
１４  発信者情報付加用データベース
１７  送信部
１８  受信部
２０  主制御部
２６  音声処理部
２７  スピーカ
３０  発信者情報制御部
３１  発信者番号データベース
【図１】
2004242144.tif 000003
【図２】
2004242144.tif 000004
【図３】
2004242144.tif 000005
【図４】
2004242144.tif 000006
【図５】
2004242144.tif 000007
【図６】
2004242144.tif 000008
【図７】
2004242144.tif 000009
【図８】
2004242144.tif 000010
【図９】
2004242144.tif 000011
【図１０】
2004242144.tif 000012
【図１１】
2004242144.tif 000013